(57)【特許請求の範囲】
【請求項１】
相対する長辺側土手部と該長辺側土手部より高さの高い相対する短辺側土手部とを有する底部と、長辺側土手部にヒンジ連結された長側壁と、短辺側土手部にヒンジ連結された短側壁とを有する折り畳みコンテナーにおいて、前記相対する長辺側土手部には、それぞれ、上面が、前記短辺側土手部の上面と同じ高さに形成されたスライドスタック補助ブロックが配設されているとともに、相対する前記スライドスタック補助ブロックの内壁間の距離は、折り畳まれた状態の前記折り畳みコンテナーにスライドスタッキングされる小箱折り畳みコンテナーの底部の裏面に形成された嵌合部の長辺側長さと略同じに形成されており、折り畳まれた状態の前記折り畳みコンテナーに、前記小箱折り畳みコンテナーをスライドスタッキングする際には、前記折り畳みコンテナーの底部の一方の短辺側土手部側に位置する前記小箱折り畳みコンテナーの底部が、折り畳まれた状態の前記折り畳みコンテナーの短側壁或いは短辺側土手部に載置され、且つ、前記小箱折り畳みコンテナーの底部の裏面の短辺側載置面が、前記スライドスタック補助ブロックの上面に載置されている状態から、前記小箱折り畳みコンテナーを、前記折り畳みコンテナーの底部のもう一方の短辺側土手部方向に向かって移動させると、前記折り畳みコンテナーの底部の一方の短辺側土手部側に位置する前記小箱折り畳みコンテナーの底部が、折り畳まれた状態の前記折り畳みコンテナーの短側壁に載置されながら、該短側壁の上をスライドするとともに、前記小箱折り畳みコンテナーの底部の裏面の短辺側載置面が、前記スライドスタック補助ブロックの上面に載置されながらスライドされ、最終的に、前記小箱折り畳みコンテナーの底部の載置面が、前記折り畳みコンテナーの底部を構成する短辺側土手部の上面及び前記スライドスタック補助ブロックの上面に載置されるように構成されており、更に、前記スライドスタック補助ブロックの上面と内面とにより形成される内側角部の略中央部には嵌合凹部が形成されており、前記嵌合凹部には、前記長側壁の下部中央部に形成された切り欠き凹部を構成する天部に垂設された嵌合部材が嵌合されるように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来、平面形状が略長方形に形成された底部の相対する長辺に、ヒンジ部を介して連結された長側壁と、同じく、底部の相対する短辺に、ヒンジ部を介して連結された短側壁とからなる折り畳みコンテナーが知られている。このような折り畳みコンテナーは、箱型に組み立てられた状態から、長側壁或いは短側壁の何方かを最初に、底部に重なるように倒し、次いで、残りの長側壁或いは短側壁を倒すことにより、折り畳むことができるように構成されている。
【０００３】
【発明が解決しようとする課題】
上述した従来の箱型に組み立てられた折り畳みコンテナーに、種々の物品を収納した場合に、特に、短側壁に比べて、横幅の広い長側壁が、物品の重みにより、外側に膨らむことがある。このように、長側壁が、外側に膨らむと、折り畳みコンテナーを、上下方向に段積みする場合に、上に位置する折り畳みコンテナーの底部が、下に位置する折り畳みコンテナーの長側壁に、確実に載置されず不安定に段積みされることになり、下に位置する折り畳みコンテナーが損傷したり、或いは、上に位置する折り畳みコンテナーが崩れ落ちるというような問題が生じる。
【０００４】
本発明の目的は、上述した従来の折り畳みコンテナーが有する課題を解決することにある。
【０００５】
【課題を解決するための手段】
本発明は、上述した目的を達成するために、相対する長辺側土手部と該長辺側土手部より高さの高い相対する短辺側土手部とを有する底部と、長辺側土手部にヒンジ連結された長側壁と、短辺側土手部にヒンジ連結された短側壁とを有する折り畳みコンテナーにおいて、前記相対する長辺側土手部には、それぞれ、上面が、前記短辺側土手部の上面と同じ高さに形成されたスライドスタック補助ブロックが配設されているとともに、相対する前記スライドスタック補助ブロックの内壁間の距離は、折り畳まれた状態の前記折り畳みコンテナーにスライドスタッキングされる小箱折り畳みコンテナーの底部の裏面に形成された嵌合部の長辺側長さと略同じに形成されており、折り畳まれた状態の前記折り畳みコンテナーに、前記小箱折り畳みコンテナーをスライドスタッキングする際には、前記折り畳みコンテナーの底部の一方の短辺側土手部側に位置する前記小箱折り畳みコンテナーの底部が、折り畳まれた状態の前記折り畳みコンテナーの短側壁或いは短辺側土手部に載置され、且つ、前記小箱折り畳みコンテナーの底部の裏面の短辺側載置面が、前記スライドスタック補助ブロックの上面に載置されている状態から、前記小箱折り畳みコンテナーを、前記折り畳みコンテナーの底部のもう一方の短辺側土手部方向に向かって移動させると、前記折り畳みコンテナーの底部の一方の短辺側土手部側に位置する前記小箱折り畳みコンテナーの底部が、折り畳まれた状態の前記折り畳みコンテナーの短側壁に載置されながら、該短側壁の上をスライドするとともに、前記小箱折り畳みコンテナーの底部の裏面の短辺側載置面が、前記スライドスタック補助ブロックの上面に載置されながらスライドされ、最終的に、前記小箱折り畳みコンテナーの底部の載置面が、前記折り畳みコンテナーの底部を構成する短辺側土手部の上面及び前記スライドスタック補助ブロックの上面に載置されるように構成されており、更に、前記スライドスタック補助ブロックの上面と内面とにより形成される内側角部の略中央部には嵌合凹部が形成されており、前記嵌合凹部には、前記長側壁の下部中央部に形成された切り欠き凹部を構成する天部に垂設された嵌合部材が嵌合されるように構成したものである。
【０００６】
【実施例】
以下に、本発明の実施例について説明するが、本発明の趣旨を越えない限り何ら、本実施例に限定されるものでない。
【０００７】
１は, 平面形状が略長方形の底部であり, 底部１は、その相対する長辺側に形成された高さの低い土手部（以下、単に、長辺側土手部という。）１ａと、相対する短辺側に形成された高さの高い土手部（以下、単に、短辺側土手部という。）１ｂとを有するとともに、長辺側土手部１ａに、長側壁２がヒンジ連結され、また、短辺側土手部１ｂに、短側壁３がヒンジ連結されている。
【０００８】
底部１の短辺側土手部１ｂの両端部からは、長辺側土手部１ａ方向に延在するとともに、短辺側土手部１ｂと同じ高さを有する角部ブロック１ｃが形成されている。
【０００９】
また、底部１の裏面には、箱型に組み立てられた折り畳みコンテナーを段積みした際に、下に位置する折り畳みコンテナーの開口部に嵌合可能な嵌合部１ｄが突設されており、嵌合部１ｄは、短辺側土手部１ｂ間の中央に形成された、短辺側土手部１ｂに平行な凹溝１ｅを挟んで、２個の副嵌合部１ｄ１に分割されている。図１に示されている折り畳みコンテナーの半分の大きさを有する小型の折り畳みコンテナーを、箱型に組み立てた状態で、２個並設し、その上に、図１に示されているような折り畳みコンテナーを段積みした際に、下に位置するとともに、並設された２個の小型の折り畳みコンテナーの隣接する上部フランジが、上に位置する折り畳みコンテナーの副嵌合部１ｄ１間に形成された凹溝１ｅに嵌合するように構成されている。
【００１０】
更に、底部１に突設された２個の副嵌合部１ｄ１間に形成された凹溝１ｅが位置する長辺側土手部１ａの上面１ａ１には、少なくとも、凹溝１ｅの幅Ｗ１以上の幅（長辺側土手部１ａの長手方向に沿った長さ）を有する、正面形状（長辺側土手部１ａ側から見た形状）が略方形状のスライドスタック補助ブロック１ｆが突設されており、このスライドスタック補助ブロック１ｆの上面１ｆ１は、底部１の短辺側土手部１ｂの上面１ｂ１と同じ高さに形成されている。なお、スライドスタック補助ブロック１ｆの機能については後述する。また、このようなスライドスタック補助ブロック１ｆを突設することにより、凹溝１ｅを形成したために低下する底部１の強度や剛性を補償することもできる。なお、１ｇは、スライドスタック補助ブロック１ｆの両側面と長辺側土手部１ａの上面１ａ１とにより形成される隅部に配設された三角形状の補強片であり、このような補強片１ｇを形成することにより、スライドスタック補助ブロック１ｆの曲げ強度を高めることができる。
【００１１】
上述したように、底部１の短辺側土手部１ｂの両端部からは、長辺側土手部１ａ方向に延在する角部ブロック１ｃが形成されているので、長側壁２の下部角部には、折り畳みコンテナーを箱型に組みたてた際に、角部ブロック１ｃが入り込む切り欠き部２ａが形成されているとともに、底部１の長辺側土手部１ａの上面１ａ１には、スライドスタック補助ブロック１ｆが突設されているので、長側壁２の下部中央部には、折り畳みコンテナーを箱型に組みたてた際に、スライドスタック補助ブロック１ｆが入り込む切り欠き凹部２ｂが形成されている。
【００１２】
図１に示されているように、箱型に組み立てられた折り畳みコンテナーを折り畳むには、先ず最初に、底部１の長辺側土手部１ａにヒンジ連結された長側壁２を、底部１方向に倒して、図２に示されているように、底部１の上に重ね、次いで、底部１の短辺側土手部１ｂにヒンジ連結された短側壁３を、底部１方向に倒して、底部１に重ねられた長側壁２の上に重ねることにより、図３に示されているように、高さの低いコンパクトな状態に折り畳むことができるように構成されている。また、折り畳まれた状態から、後から倒された短側壁３を、略垂直に立て、次いで、先に倒された長側壁２を略垂直に立てることにより、箱型に組み立てることができるように構成されている。
【００１３】
箱型に組み立てた状態の折り畳みコンテナー同士を段積みした際には、上に位置する折り畳みコンテナーの底部１の裏面に形成された嵌合部１ｄが、下に位置する折り畳みコンテナーの開口部に嵌合されるとともに、嵌合部１ｄの周囲に位置する底部１の裏面周辺部１’が、上に位置する折り畳みコンテナーの長側壁２の上部フランジ２’及び短側壁３の上部フランジ３’に載置されるように構成されている。
【００１４】
また、折り畳まれた状態の折り畳みコンテナー同士を段積みした際には、上に位置する折り畳みコンテナーの底部１の裏面に形成された嵌合部１ｄが、下に位置する折り畳みコンテナーの底部１に形成された長辺側土手部１ａ、短辺側土手部１ｂ、角部ブロック１ｃ及びスライドスタック補助ブロック１ｆの内側に位置するとともに、下に位置する折り畳みコンテナーの嵌合部１ｄの周囲に位置する底部１の裏面周辺部１’が、上に位置する折り畳みコンテナーの短辺側土手部１ｂ、角部ブロック１ｃ及びスライドスタック補助ブロック１ｆの上面に載置されることになる。
【００１５】
上述した底部１の長辺側土手部１ａの上面１ａ１に突設されたスライドスタック補助ブロック１ｆの上面１ｆ１と内面１ｆ２とにより形成される内側角部の略中央部には、嵌合凹部１ｆ３が形成されている。また、長側壁２の下部中央部に形成された、スライドスタック補助ブロック１ｆが挿入される切り欠き凹部２ｂを構成する天部２ｂ１の略中央部には、上記のスライドスタック補助ブロック１ｆに形成された嵌合凹部１ｆ３に嵌合される板状或いはブロック状の嵌合部材２ｃが垂設されている。
【００１６】
折り畳みコンテナーを、図１に示されているように、箱型に組みたてた際には、底部１の長辺側土手部１ａの上面１ａ１に突設されたスライドスタック補助ブロック１ｆは、長側壁２の下部中央部に形成された切り欠き凹部２ｂに挿入されるとともに、底部１の長辺側土手部１ａの内側角部に形成された嵌合凹部１ｆ３には、長側壁２の下部中央部に形成された切り欠き凹部２ｂを構成する天部２ｂ１に垂下された嵌合部材２ｃが嵌合されるように構成されている。従って、箱型に組み立てられた折り畳みコンテナーに、物品を収納し、横幅の広い長側壁が、物品の重みにより、外側に膨らもうとしても、長側壁２の下部中央部に形成された切り欠き凹部２ｂを構成する天部２ｂ１に垂下された嵌合部材２ｃが、底部１の長辺側土手部１ａの内側角部に形成された嵌合凹部１ｆ３に嵌合されているとともに、嵌合凹部１ｆ３を構成する、内面１ｆ２と平行な内側面１ｆ３’に当接するように構成されているので、長側壁２の外側への膨らみが阻止されることになる。
【００１７】
次に、図７〜図１２を用いて、折り畳まれた状態の上述した折り畳みコンテナー（以下、単に、大箱折り畳みコンテナーという。）Ｃｂの上に、上記折り畳みコンテナーＣｂの略半分の大きさを有する折り畳みコンテナー（以下、単に、小箱折り畳みコンテナーという。）Ｃｓをスライドスタッキングする機能について説明する。
【００１８】
１０は、平面形状が略長方形の底部であり、底部１０の相対する長辺側には、土手部１０ａが形成されており、また、底部１０の相対する短辺側にも、土手部１０ｂが形成されてる。そして、底部１０の相対する長辺側に形成された土手部（以下、単に、長辺側土手部という。）１０ａの高さは、底部１０の相対する短辺側に形成された土手部（以下、単に、短辺側土手部という。）１０ｂの高さより、高く形成されている。長辺側土手部１０ａには、適当なヒンジ部材を介して、長側壁２０がヒンジ連結され、また、短辺側土手部１０ｂには、同じく適当なヒンジ部材を介して、短側壁３０がヒンジ連結されている。また、長辺側土手部１０ａの両端部からは、角部ブロック１０ｃが、短辺側土手部１０ｂ方向に延在している。
【００１９】
図７に示されているように、箱型に組み立てられた小箱折り畳みコンテナーＣｓを折り畳むには、先ず最初に、底部１０の短辺側土手部１０ｂにヒンジ連結された短側壁３０を、底部１０方向に倒して、底部１０の上に重ね、次いで、底部１０の長辺側土手部１０ａにヒンジ連結された長側壁２０を、底部１０方向に倒して、底部１０に重ねられた短側壁３０の上に重ねることにより、高さの低いコンパクトな状態に折り畳むことができるように構成されている。また、折り畳まれた状態から、後から倒された長側壁２０を略垂直に立て、次いで、先に倒された短側壁３０を略垂直に立てることにより、箱型に組み立てることができる。
【００２０】
小箱折り畳みコンテナーＣｓの底部１０の長辺側土手部１０ａの長さは、大箱折り畳みコンテナーＣｂの底部１の短辺側土手部１ｂの長さと略同じ長さに形成されており、また、小箱折り畳みコンテナーＣｓの底部１０の短辺側土手部１０ｂの長さは、大箱折り畳みコンテナーＣｂの底部１の長辺側土手部１ａの長さの略半分の長さに形成されている。従って、小箱折り畳みコンテナーＣｓの長側壁２０の横幅は、大箱折り畳みコンテナーＣｂの短側壁３の横幅と略同じ横幅に形成されており、また、小箱折り畳みコンテナーＣｓの短側壁３０の横幅は、大箱折り畳みコンテナーＣｂの長側壁２の横幅の略半分の横幅に形成されている。
【００２１】
小箱折り畳みコンテナーＣｓの底部１０の裏面には、箱型に組み立てられた折り畳みコンテナーを段積みした際に、下に位置する折り畳みコンテナーの開口部に嵌合可能な嵌合部１０ｄが突設されている。嵌合部１０ｄは、長辺側土手部１０ａに沿った相対する長周壁１０ｄ１と、短辺側土手部１０ｂに沿った相対する短周壁１０ｄ２とを有しており、長周壁１０ｄ１と短周壁１０ｄ２とにより囲まれた空間部内には、長周壁１０ｄ１及び短周壁１０ｄ２に平行で、互いに交差する交差リブ１０ｄ３が形成されている。嵌合部１０ｄが形成されていない底部１０の裏面には、長辺側土手部１０ａに沿って、長辺側載置面１０ｅが形成されており、また、短辺側土手部１０ｂに沿って、短辺側載置面１０ｆが形成されている。
【００２２】
箱型に組み立てられた小箱折り畳みコンテナーＣｓの上に、小箱折り畳みコンテナーＣｓを段積みした際には、下に位置する箱型に組み立てられた小箱折り畳みコンテナーＣｓの開口部に、上に位置する小箱折り畳みコンテナーＣｓの底部１０の裏面に形成された嵌合部１０ｄが嵌合されるとともに、下に位置する箱型に組み立てられた小箱折り畳みコンテナーＣｓの長側壁２０の上部フランジ２０ａに、上に位置する小箱折り畳みコンテナーＣｓの底部１０の裏面の長辺側載置面１０ｆが載置され、また、下に位置する箱型に組み立てられた小箱折り畳みコンテナーＣｓの短側壁３０の上部フランジ３０ａに、上に位置する小箱折り畳みコンテナーＣｓの底部１０の裏面の短辺側載置面１０ｆが載置されるように構成されている。
【００２３】
小箱折り畳みコンテナーＣｓの底部１０の裏面に突設された嵌合部１０ｄの長辺側土手部１０ａに沿った長辺側長さＷ１０は、大箱折り畳みコンテナーＣｂの底部１に形成された角部ブロック１ｃの短辺側土手部１ｂに沿った内幅（角部ブロック１ｃの内面１ｃ１間の距離）Ｗ２及びスライドスタック補助ブロック１ｆの短辺側土手部１ｂに沿った内幅（相対するスライドスタック補助ブロック１ｆの内面１ｆ２間の距離）Ｗ３と、略同じに形成されている。また、嵌合部１０ｄの短辺側土手部１０ｂに沿った短辺側長さＷ２０は、大箱折り畳みコンテナーＣｂの底部１に形成された短辺側土手部１ｂの内幅（相対する短辺側土手部１ｂの内面１ｂ２間の距離）Ｗ４の略半分の長さに形成されている。
【００２４】
次に、図９〜図１２を用いて、折り畳まれた状態の大箱折り畳みコンテナーＣｂに、折り畳まれた状態の小箱折り畳みコンテナーＣｓをスライドスタッキングする作業について説明する。
【００２５】
先ず最初に、図９に示されているように、大箱折り畳みコンテナーＣｂの底部１の一方の短辺側土手部１ｂ付近に、小箱折り畳みコンテナーＣｓの底部１０の一方の長辺側土手部１０ａが位置するとともに、大箱折り畳みコンテナーＣｂの底部１の短辺側土手部１ｂと小箱折り畳みコンテナーＣｓの底部１０の長辺側土手部１０ａとが、略平行となるように、大箱折り畳みコンテナーＣｂの上に、１個の小箱折り畳みコンテナーＣｓを段積みする。この際、大箱折り畳みコンテナーＣｂの底部１の一方の短辺側土手部１ｂ側に位置する小箱折り畳みコンテナーＣｓの底部１０は、折り畳まれた状態の大箱折り畳みコンテナーＣｂの短側壁３或いは短辺側土手部１ｂに載置されるとともに、小箱折り畳みコンテナーＣｓの底部１０の裏面の短辺側載置面１０ｆは、大箱折り畳みコンテナーＣｂの底部１の長辺側土手部１ａの中央部に配設されたスライドスタック補助ブロック１ｆの上面１ｆ１に載置されている。
【００２６】
上述した状態から、上に位置する小箱折り畳みコンテナーＣｓを、大箱折り畳みコンテナーＣｂの底部１のもう一方の短辺側土手部１ｂ方向に向かって移動させると、図１０に示されているように、大箱折り畳みコンテナーＣｂの底部１の一方の短辺側土手部１ｂ側に位置する小箱折り畳みコンテナーＣｓの底部１０は、折り畳まれた状態の大箱折り畳みコンテナーＣｂの短側壁３に載置されながら、短側壁３の上をスライドし、また、小箱折り畳みコンテナーＣｓの底部１０の裏面の短辺側載置面１０ｆは、大箱折り畳みコンテナーＣｂの底部１の長辺側土手部１ａの中央部に配設されたスライドスタック補助ブロック１ｆの上面１ｆ１に載置されながらスライドし、最終的に、図１１に示されているように、小箱折り畳みコンテナーＣｓの底部１０のスライド方向前方に位置する長辺側土手部１０ａの下方に位置する長辺側載置面１０ｅが、大箱折り畳みコンテナーＣｂの底部１の短辺側土手部１ｂに載置されるとともに、大箱折り畳みコンテナーＣｂの底部１の短辺側土手部１ｂに載置された小箱折り畳みコンテナーＣｓの底部１０の長辺側載置面１０ｅと相対するもう一方の長辺側載置面１０ｅ或いは短辺側載置面１０ｆは、大箱折り畳みコンテナーＣｂの底部１の長辺側土手部１ａに配設されたスライドスタック補助ブロック１ｆの上面１ｆ１の中程に載置されることになる。
【００２７】
その後、折り畳まれた状態の大箱折り畳みコンテナーＣｂの残りの半分の領域に、図１２に示されているように、もう１個の小箱折り畳みコンテナーＣｓを段積みするが、この際、この小箱折り畳みコンテナーＣｓは、その小箱折り畳みコンテナーＣｓの底部１０の裏面の長辺側載置面１０ｅ及び短辺側載置面１０ｆが、大箱折り畳みコンテナーＣｂの底部１の長辺側土手部１ａの中央部に配設されたスライドスタック補助ブロック１ｆの上面１ｆ１に載置されるとともに、大箱折り畳みコンテナーＣｂの底部１の短辺側土手部１ｂに、小箱折り畳みコンテナーＣｓの底部１０の長辺側載置面１０ｅが載置されるように、段積みされることになる。
【００２８】
上述した実施例には、大箱折り畳みコンテナーＣｂに、大箱折り畳みコンテナーＣｂの半分の大きさを有する２個の小箱折り畳みコンテナーＣｓを並設するように段積みした例が示されているが、大箱折り畳みコンテナーＣｂに、大箱折り畳みコンテナーＣｂの三分の一や四分の一やそれ以下の大きさを有する３個以上の小型折り畳みコンテナーＣｓを並設するように段積みすることができる。例えば、大箱折り畳みコンテナーＣｂの三分の一の大きさの小型折り畳みコンテナーＣｓを段積みする場合には、上述したスライドスタック補助ブロック１ｆを、長辺側土手部１ａに２個配設し、また、大箱折り畳みコンテナーＣｂの四分の一の大きさの小型折り畳みコンテナーＣｓを段積みする場合には、上述したスライドスタック補助ブロック１ｆを、長辺側土手部１ａに３個配設することになる。
【００２９】
上述したように、複数の折り畳まれた状態の小箱折り畳みコンテナーＣｓが段積みされる、折り畳まれた状態の大箱折り畳みコンテナーＣｂの底部１に、段積みされる小箱折り畳みコンテナーＣｓの底部１０が載置されるスライドスタック補助ブロック１ｆを配設したので、従来、スライドスタッキングが不可能な折り畳まれた状態の折り畳みコンテナーにおいて、スライドスタッキングが可能となった。
【００３０】
上述したように、作業者が、折り畳まれた状態の大箱折り畳みコンテナーＣｂの手前に、１個の小箱折り畳みコンテナーＣｓを載置するとともに、前方に押し出すようにスライドし、次いで、もう１個の小箱折り畳みコンテナーＣｓを、折り畳まれた状態の大箱折り畳みコンテナーＣｂの手前に載置するとともに、前方に押し出すようにスライドするという作業を、順次、行うことにより、大箱折り畳みコンテナーＣｂに複数の小箱折り畳みコンテナーＣｓを載置するように構成したので、折り畳まれた状態の大箱折り畳みコンテナーＣｂへの小箱折り畳みコンテナーＣｓの段積み作業の作業性が向上する。
【００３１】
【発明の効果】
本発明は、以上説明した構成を有しているので、以下に記載する効果を奏するものである。
【００３２】
底部の長辺側土手部に、嵌合凹部が形成されたスライドスタック補助ブロックを配設するとともに、長側壁に形成された切り欠き凹部を構成する天部には、スライドスタック補助ブロックに形成された嵌合凹部に嵌合される嵌合部材を垂設したので、長側壁の外側への膨らみを確実に阻止することができる。
【図面の簡単な説明】
【図１】図１は本発明の折り畳みコンテナーの箱型に組み立てられた状態の斜視図である。
【図２】図２は本発明の折り畳みコンテナーの組み立て或いは折り畳み途中の斜視図である。
【図３】図３は本発明の折り畳みコンテナーの折り畳まれた状態の斜視図である。
【図４】図４は本発明の折り畳みコンテナーの底部の裏面斜視図である。
【図５】図５は本発明の折り畳みコンテナーの底部と倒された状態の長側壁の部分斜視図である。
【図６】図６は本発明の折り畳みコンテナーの底部と立てられた状態の長側壁の部分斜視図である。
【図７】図７は本発明の折り畳みコンテナーに段積みされる小箱折り畳みコンテナーの箱型に組み立てられた状態の斜視図である。
【図８】図８は図７に示されている小箱折り畳みコンテナーの底部の裏面斜視図である。
【図９】図９は本発明の折り畳まれた状態の折り畳みコンテナーに段積みされた折り畳まれた状態の小箱折り畳みコンテナーの斜視図である。
【図１０】図１０は図９と同様の本発明の折り畳まれた状態の折り畳みコンテナーに段積みされた折り畳まれた状態の小箱折り畳みコンテナーの斜視図である。
【図１１】図１１は図９と同様の本発明の折り畳まれた状態の折り畳みコンテナーに段積みされた折り畳まれた状態の小箱折り畳みコンテナーの斜視図である。
【図１２】図１２は図９と同様の本発明の折り畳まれた状態の折り畳みコンテナーに段積みされた折り畳まれた状態の小箱折り畳みコンテナーの斜視図である。
【符号の説明】
１・・・・・・・・・・・・底部
１ｆ・・・・・・・・・・・スライドスタック補助ブロック
１ｆ３・・・・・・・・・・嵌合凹部
２・・・・・・・・・・・・長側壁
２ｃ・・・・・・・・・・・嵌合部材
３・・・・・・・・・・・・短側壁
【図１】
0003808005.tif 000002
【図２】
0003808005.tif 000003
【図３】
0003808005.tif 000004
【図４】
0003808005.tif 000005
【図５】
0003808005.tif 000006
【図６】
0003808005.tif 000007
【図７】
0003808005.tif 000008
【図８】
0003808005.tif 000009
【図９】
0003808005.tif 000010
【図１０】
0003808005.tif 000011
【図１１】
0003808005.tif 000012
【図１２】
0003808005.tif 000013